(57)【要約】【課題】  破断線に沿って破断可能な除去板部を有するシート壁の下面にバリア性フィルム層が積層されて成る合成樹脂製蓋部材の製造方法の容易化を課題とする。【解決手段】  破断線に沿って破断可能な除去板部（１２）を有するシート壁（６）の下面にバリア性フィルム層（１５）が積層される合成樹脂製蓋部材の製造方法であって、予め多層構造から成るバリア性フィルムに開孔部（Ｓ１）を形成し、その後にバリア性フィルムを所定の金型内に位置決めしながらセットし、次に金型内に溶融樹脂を注入してインサート成形することにより、シート壁（６）の下面にバリア性フィルム層（１５）を積層する構成とする。【選択図】  図５
2018171817.tif 000002
【特許請求の範囲】
【請求項１】
破断線に沿って破断可能な除去板部（１２）を有するシート壁（６）の下面にバリア性フィルム層（１５）が積層される合成樹脂製蓋部材の製造方法であって、
予め多層構造から成るバリア性フィルムに開孔部（Ｓ１）を形成し、その後に前記バリア性フィルムを所定の金型内に位置決めしながらセットし、次に前記金型内に溶融樹脂を注入してインサート成形することにより、シート壁（６）の下面にバリア性フィルム層（１５）を積層する、こと特徴とする合成樹脂製蓋部材の製造方法。
【請求項２】
バリア性フィルムに位置合わせ部（Ｓ２）を形成する工程を有すると共に、該位置合わせ部（Ｓ２）を用いてバリア性フィルムを金型内の所定の位置に位置決めする工程を有する請求項１記載の合成樹脂製蓋部材の製造方法。
【請求項３】
容器（３１）の口筒部（３２）に組み付き固定されるキャップ本体（１）と、肉薄状の破断線（Ｌｂ）に沿って囲まれた領域内に除去板部（１２）を有して前記キャップ本体（１）の底部を構成するシール壁（６）と、前記除去板部（１２）の外周縁部を基端として上方に延びる連結柱（１３）を介して前記除去板部（１２）に接続されたプルリング（１４）と、前記シール壁（６）の下面に積層されて前記破断線（Ｌｂ）及び前記除去板部（１２）を含む領域を被覆する多層構造から成るバリア性フィルム層（１５）と、を有する合成樹脂製蓋部材であって、
前記連結柱（１３）の基端部の近傍に位置する破断線（Ｌｂ）部分に、前記バリア性フィルム層（１５）を貫通する開孔部（Ｓ１）が形成され、該開孔部（Ｓ１）内に前記シール壁（６）を形成する合成樹脂の一部が入り込んでいることを特徴とする合成樹脂製蓋部材。
【請求項４】
バリア性フィルム層（１５）に、シール壁（６）の下面における位置決めを行う位置合わせ部（Ｓ２）が設けられている請求項３記載の合成樹脂製蓋部材。
【請求項５】
開孔部（Ｓ１）が、破断線（Ｌｂ）上の複数の位置に形成されている請求項３又は４に記載の合成樹脂製蓋部材。
【請求項６】
開孔部（Ｓ１）が、破断線（Ｌｂ）に沿って等間隔に形成されている請求項５記載の合成樹脂製蓋部材。
【請求項７】
バリア性フィルム層（１５）が複数の樹脂フィルムが積層されて形成されると共に、前記バリア性フィルム層（１５）が前記シール壁（６）を形成する合成樹脂と同種の合成樹脂から成る樹脂フィルムを含むものである請求項３乃至６のいずれか一項に記載の合成樹脂製蓋部材。
【発明の詳細な説明】
【技術分野】
【０００１】
本発明は、プルリングによる開封機構を備えた合成樹脂製蓋部材の製造方法及び合成樹脂製蓋部材に関する。
【背景技術】
【０００２】
プルリングを備えた合成樹脂製蓋部材の典型例としては、醤油やソースや食用油等の液体調味料を収容した容器の口筒部に組み付き固定されて使用されている注出キャップや中栓体を挙げることができる。開封のためにプルリングを上方に引っ張って抜栓することにより、注出キャップや中栓体に設けられた閉塞板が破断線に沿って切り取られて開封されるというものである。
【０００３】
例えば、特許文献１は、本出願人が先に特許出願した技術であり、同文献には連結柱１３の基端部の外周縁側直近に位置する破断線Ｌｂ部分において、積層するバリア性フィルム層１５にシール壁６の下面側に達するスリットＳ１を破断線Ｌｂに沿って貫通形成した実施例が記載されている。
【０００４】
また特許文献２には、射出成形時において、スコア成形部９２ａから下金型９１の上面の間をポリエチレンが流れる際、急激に流路が狭くなることに起因する圧力と温度の上昇によってガスバリアフィルム８に破れを生じさせることで切断部８３を形成する技術が記載されている。
【先行技術文献】
【特許文献】
【０００５】
【特許文献１】特開２０１３−７５６８４号公報
【特許文献２】特開２００８−２９７０００号公報
【発明の概要】
【発明が解決しようとする課題】
【０００６】
特許文献１では、スリットＳ１が、インサート成形により中栓部１０１ｂを射出成形した後の後加工において、剃刀状の鋭利な刃先を用いてシール壁６の下面に積層されたバリア性フィルム層１５に破断線Ｌｂに沿って貫通形成するというものであるところ、バリア性フィルム層１５は肉薄のフィルムで形成されているため、バリア性フィルム層１５だけでなくその下の破断線Ｌｂまでをも切断してしまう虞がある点で製造に困難を伴う可能性がある。
【０００７】
また特許文献２に記載の先行技術は、合成樹脂（ポリエチレン）の流れによってガスバリアフィルム８に切断部８３が形成されるというものであることから、成形される切断部８３の精度が低いという問題がある。さらには製造工程中において溶融樹脂の圧力や温度を高精度で制御する必要があることから、製造工程が複雑化しやすいという問題がある。
【０００８】
本発明は、上記従来のようなプルリングによる開封機構を有する蓋部材における問題点を解消すべく創案されたもので、製造工程を容易化することを可能とする合成樹脂製蓋部材の製造方法及び合成樹脂製蓋部材を創出することを課題とする。
【課題を解決するための手段】
【０００９】
上記技術的課題を解決する手段の内、本発明の第１の主たる手段は、
破断線に沿って破断可能な除去板部を有するシート壁の下面にバリア性フィルム層が積層される合成樹脂製蓋部材の製造方法であって、
予め多層構造から成るバリア性フィルムに開孔部を形成し、その後にバリア性フィルムを所定の金型内に位置決めしながらセットし、次に金型内に溶融樹脂を注入してインサート成形することにより、シート壁の下面にバリア性フィルム層を積層する、こと特徴とする、と云うものである。
【００１０】
本発明の第１の主たる手段では、予め開孔部が形成されているバリア性フィルムを金型内にセットした状態でインサート成形することにより、連結柱の基端部の近傍に位置する破断線部分のバリア性フィルム層に開孔部が形成された合成樹脂製蓋部材の製造を容易化することを達成し得る。
【００１１】
また本発明の他の手段は、上記第１の主たる手段に、上記第１の主たる手段に、バリア性フィルムに位置合わせ部を形成する工程を有すると共に、該位置合わせ部を用いてバリア性フィルムを金型内の所定の位置に位置決めする工程を有する、との手段を加えたものである。
【００１２】
上記手段では、インサート成形において、バリア性フィルム層に形成されている開孔部を、連結柱の基端部の近傍に位置する破断線上に正確に形成することを達成し得る。
【００１３】
また本発明の第２の主たる手段は、容器の口筒部に組み付き固定されるキャップ本体と、肉薄状の破断線に沿って囲まれた領域内に除去板部を有してキャップ本体の底部を構成するシール壁と、除去板部の外周縁部を基端として上方に延びる連結柱を介して除去板部に接続されたプルリングと、シール壁の下面に積層されて破断線及び除去板部を含む領域を被覆する多層構造から成るバリア性フィルム層と、を有する合成樹脂製蓋部材であって、
連結柱の基端部の近傍に位置する破断線部分に、バリア性フィルム層を貫通する開孔部が形成され、開孔部内にシール壁を形成する合成樹脂の一部が入り込んでいることを特徴とする、と云うものである。
【００１４】
本発明の第２の主たる手段では、シール壁によるバリア性の低下を効果的に抑制し得ると共に、開孔部に入り込んだ合成樹脂とバリア性フィルム層との密着性の向上を達成し得る。
【００１５】
また本発明の他の手段は、上記第２の主たる手段に、バリア性フィルム層に、シール壁の下面における位置決めを行う位置合わせ部が設けられている、との手段を加えたものである。
【００１６】
上記手段では、バリア性フィルム層に形成されている開孔部を、連結柱の基端部の近傍に位置する破断線上に正確に形成し得る。
【００１７】
また本発明の他の手段は、上記いずれかの手段に、開孔部が、破断線上の複数の位置に形成されている、との手段を加えたものである。
【００１８】
上記手段では、抜栓時における破断線に沿ったバリア性フィルム層の切れ易さを向上させることを達成し得る。
【００１９】
また本発明の他の手段は、上記手段に、開孔部が、破断線に沿って等間隔に形成されている、との手段を加えたものである。
【００２０】
上記手段では、シール壁を形成する合成樹脂とバリア性フィルム層との密着性が向上する箇所を等間隔に配置することが可能となることからにより、抜栓時におけるバリア性フィルム層の破断の容易化をより顕著なものとし得る。
【００２１】
また本発明の他の手段は、上記いずれかの手段に、バリア性フィルム層が複数の樹脂フィルムが積層されて形成されると共に、バリア性フィルム層がシール壁を形成する合成樹脂と同種の合成樹脂から成る樹脂フィルムを含むものである、との手段を加えたものである。
【００２２】
上記手段では、シール壁の下面側とバリア性フィルム層の密着性をさらに強化することができ、バリア性フィルム層のシール壁の下面側からの部分的な剥離を防ぐことが可能となり、剥離に起因するバリア性の低下や破断性の低下を防ぐことができる。例えば、シール壁がＬＤＰＥ樹脂製の場合は、上層をＬＤＰＥ樹脂とし、中間層をバリア性樹脂とし、下層をＬＤＰＥ樹脂、と云うような積層フィルムとするのが好ましい。
【発明の効果】
【００２３】
本発明の合成樹脂製蓋部材の製造方法では、インサート成形の前段階において
バリア性フィルムに開孔部を形成し、その後にバリア性フィルムを金型内にセットしてインサート成形するようにしたことから、連結柱の基端部の近傍に位置する破断線部分のバリア性フィルム層に開孔部を備える合成樹脂製蓋部材を容易に製造することができる。
しかもインサート成形時に、シール壁を形成する合成樹脂が開孔部内に確実に入り込むことようになるため、シール壁とその下面に積層される多層構造のバリア性フィルムとの密着性を向上させた合成樹脂製蓋部材を得ることができる。
【００２４】
また本発明の合成樹脂製蓋部材にあっては、連結柱の基端部の近傍に位置する破断線部分においてバリア性フィルム層に開孔部が貫通形成されているので、この開孔部を起点として、破断線に沿ったバリア性フィルム層及びシール壁の破断をスムーズに進行させることができ、開封作業を確実に行うことが可能となる。
【図面の簡単な説明】
【００２５】
【図１】本発明の蓋部材の一実施例である注出キャップの開姿勢状態での縦断面図である。
【図２】図１の注出キャップの平面図である。
【図３】図１の注出キャップの底面図である。
【図４】図１中の、連結柱の基端部近傍を拡大して示す縦断面図である。
【図５】図４中のＶ部分をさらに拡大して示す縦断面図であり、Ａは開孔部の第１実施例、Ｂは開孔部の第２実施例を示している。
【図６】バリア性フィルム層の他の実施例を拡大して示す底面図である。
【図７】開孔部の他の実施例を示す図５同様の縦断面図であり、Ａは開孔部の第３実施例、Ｂは開孔部の第４実施例を示している。
【発明を実施するための形態】
【００２６】
以下、本発明の実施形態を、実施例に沿って図面を参照しながら説明する。
尚、図３に薄墨色で示す部分はシール壁の下面に積層されたバリア性フィルムである。
【００２７】
本発明の蓋部材の一実施例である注出キャップは、キャップ本体１と、このキャップ本体１にヒンジ９を介して連接される蓋体１０を有して構成されている。
【００２８】
注出キャップ１は、ポリプロピレンなどの合成樹脂材料により、キャップ本体１、ヒンジ９及び蓋体１０が一体的に射出成形された部材である。キャップ本体１は、図１に二点鎖線で示した容器３１の口筒部３２に外嵌係合する組付き筒２を有する。この組付き筒２には、上端縁から内鍔状の頂板２ｔを介して上端部をラッパ状に広げた注出筒４が起立設され、この注出筒４を下方に延長した頂板２ｔの内周端縁にはインナーリング３が垂下設されている。さらに注出筒４の内周面下端縁には斜め下方に延設された内鍔片５が突周設され、この内鍔片５には容器３１の開口部を覆う平坦板状のシール壁６が設けられている。そして、図１に示すように、このキャップ本体１ではシール壁６がキャップ本体１の底壁６ａを兼ねる構成となっている。
【００２９】
シール壁６には薄肉に形成した破断線Ｌｂで囲むことで規定される除去板部１２が設けられている。この除去板部１２の外周縁部に端部（図１、２では除去板部１２の右側端部）には、この端部を基端として上方に延びる連結柱１３が起立設されている。連結柱１３の上端にはプルリング１４が連結されており、これらシール壁６に設けられた破断線Ｌｂ、除去板部１２、連結柱１３及びプルリング１４によりこの注出キャップの開封機構が構成されている。
【００３０】
尚、キャップ本体１は、組付き筒２及び注出筒４を備える外装部とシール壁６、連結柱１３及びプルリング１４を備える中栓部とが別々に射出成形され、使用時に際して外装部と中栓部とが嵌合的に組み付けられる構成とすることも可能である。
【００３１】
また、シール壁６の下面側には、円盤状のバリア性フィルムをインサート材とするキャップ本体１の射出成形において、熱融着により積層されたバリア性フィルム層１５が設けられている。このバリア性フィルム層１５は、破断線Ｌｂ及びその内側の除去板部１２を含む略全領域を被覆によりシールしている。図５Ａ、Ｂの拡大図に示されように、バリア性フィルム層１５は、中間層１５ｂを上層１５ａと下層１５ｃでサンドイッチ状に挟んだ三層から成る積層構造を有して形成されている。本実施例では、上層１５ａ及び下層１５ｃはキャップ本体１と同種の合成樹脂フィルム（ＬＤＰＥ樹脂フィルム）で形成され、中間層１５ｂは高度な酸素バリア性を発揮するＥＶＯＨ（エチレン−ビニルアルコール共重合体）樹脂フィルムで形成されている。
このようなバリア性フィルム層１５は、インサート成形において、ＬＤＰＥ樹脂フィルムから成る上層１５ａが、同じくＬＤＰＥ樹脂フィルムから成るキャップ本体１のシール壁６の下面に熱融着されることで積層されている。
【００３２】
また図５Ａ、Ｂの第１実施例及び第２実施例に見られるように、破断線Ｌｂは上面側の溝１１ｔと下面側の溝１１ｕを有してシール壁６を上下から挟むように形成されている。このように破断線Ｌｂを形成することにより、プルリング１４からの引張り力を、薄肉に形成された破断線Ｌｂ部分に、より集中して作用させることが可能とされている。
【００３３】
また、図５Ａ、Ｂに示されるように、バリア性フィルム層１５の破断線Ｌｂ上で且つ連結柱１３の基端部の外周縁側直近の位置には、シール壁６の下面側に連通する開孔部Ｓ１が貫通形成されている。この開孔部Ｓ１はスリット又は小孔などで形成されており、上記した下面側の溝１１ｕの底面に積層されたバリア性フィルム層１５に貫通形成されている。図５Ａの第１実施例では、開孔部Ｓ１はキャップ本体１を射出成形した時に合成樹脂の一部が入り込んでその全体が満たされた状態にある。あるいは図５Ｂに示す第２実施例では、開孔部Ｓ１の略半分の深さ位置まで合成樹脂が入り込んだ状態にある。
尚、図５Ａ，Ｂの第１実施例及び第２実施例のいずれにおいても開孔部Ｓ１の断面形状は、上層１５ａ側の幅寸法Ｗ１と下層１５ｃ側の幅寸法Ｗ２とが略同寸法（Ｗ１≒Ｗ２）で形成されており、上層１５ａ側の幅寸法が下層１５ｃ側の幅寸法よりも大きい場合に比較し、バリア性フィルム層１５は抜栓時において切れ易い状態にある。
【００３４】
次に、上記バリア性フィルム層１５が積層されたキャップ本体１の製造方法につて説明する。
まずバリア性フィルムの所定の位置に、例えば鋭利な刃先を有する治具やレーザー加工を用いて、予め開孔部Ｓ１を穿設すると共に所定の形（本実施例では円盤状）に打ち抜く。尚、開孔部Ｓ１の穿設作業と型の打ち抜き作業の順序及びこれらを形成するための加工方法については特に限定されない。
【００３５】
次に、開孔部Ｓ１が形成されたバリア性フィルムを図示しない成形用金型内に位置決めしながらセットした後、成形金型内に溶融樹脂を注入してインサート成形することにより、シート壁の下面にバリア性フィルムを熱融着により積層させる。この際、成形用金型内の保圧や成形時間等の成形条件によって図５Ａの第１実施例に示すような開孔部Ｓ１の全体が合成樹脂で完全に満たされたキャップ本体１、あるいは図５Ｂの第２実施例に示すような合成樹脂が開孔部Ｓ１内の略半分の位置まで満たされたキャップ本体１が製造される。
【００３６】
またバリア性フィルムを打ち抜きする作業においては、図３に示すように、例えば切欠き状の凹部などから成る位置合わせ部Ｓ２をバリア性フィルムの一部に形成する工程を含める構成が好ましい。この構成では、バリア性フィルムを成形用金型内にセットする際に、位置合わせ部Ｓ２を金型内に設けた図示しない位置合わせ凸部に合わせることにより、バリア性フィルムに形成した開孔部Ｓ１を、破断線Ｌｂ上の連結柱１３の基端部の外周縁側直近の位置に高精度に設けることが可能となる。
【００３７】
そして、上記説明した構成を有する本実施例の注出キャップでは、開封のためにプルリング１４を上方に引っ張って抜栓すると、破断線Ｌｂに沿ったシール壁６の破断とシール壁６の下面に積層されたバリア性フィルム層１５の破断を同時に進行させることができ、除去板部１２を除去する開封操作を簡単且つ確実に行うことが可能となる。
【００３８】
ここで、バリア性フィルム層１５についてその破断の態様を観察すると、破断は、バリア性フィルム層１５は延伸変形することなく開孔部Ｓ１を起点に引裂き状に開始されると共に破断線Ｌｂに沿って円滑に進行し、開口縁部にバリ等の発生も生じないことから、内容液をスムーズに注出することが可能である。
【００３９】
また穿設後の開孔部Ｓ１は、その内面にバリア性フィルム層１５を構成する上層１５ａ、中間層１５ｂ及び下層１５ｃの一部が夫々表出した状態にある。このため、図５Ａに示す第１実施例では、インサート成形時に、縦軸方向から開孔部Ｓ１に入り込んだ溶融状態の合成樹脂（キャップ本体１を形成する合成樹脂）が、バリア性フィルム層１５を構成する層のうち、同種の合成樹脂フィルムで形成された上層１５ａ及び下層１５ｃと積極的に熱融着して一体化した状態で硬化することから、バリア性フィルム層１５とキャップ本体１の底壁６ａであるシール壁６との密着性が強化された状態にある。また図５Ｂに示す第２実施例においては開孔部Ｓ１内の略半分の深さ位置まで溶融状態の合成樹脂が入り込むことから、開孔部Ｓ１内ではシール壁６と少なくとも上層１５ａとが積極的に熱融着して一体化した状態で硬化した状態にある。このため、第２実施例においてもバリア性フィルム層１５とシール壁６との密着性が強化された状態にある。
【００４０】
その結果、プルリング１４を上方に引っ張って抜栓した時には、除去板部１２とその下面に位置するバリア性フィルム層１５との剥離が抑制され、除去板部１２を除去する開封操作を確実に行うことが可能となる。
【００４１】
ところで、図６に示すように、開孔部Ｓ１は破断線Ｌｂに沿って複数の箇所に形成されていても良いし、あるいは開孔部Ｓ１を破断線Ｌｂに沿って等間隔で間欠的に形成した構成であっても良い。さらには複数（例えば２、３個）の開孔部Ｓ１が等間隔で並ぶ一組の開孔群を、破断線Ｌｂに沿って等間隔に配置される構成であっても良い。このように、除去板部１２の外周の複数の位置に開孔部Ｓ１を配置することにより、除去板部１２を除去する開封操作（抜栓時）におけるバリア性フィルム層１５をより切れ易くすることができる。すなわち、射出成形時において溶融樹脂が複数の位置に設けられた開孔部Ｓ１に入り込むことになるため、除去板部１２の外周に渡ってバリア性フィルム層１５とシール壁６との密着性を高めることができることから、抜栓時におけるバリア性フィルム層１５の切れ易さを向上させることが可能となる。特に、開孔部Ｓ１を破断線Ｌｂに沿って等間隔で間欠的に形成した構成ではその効果が顕著である。
【００４２】
尚、開孔部Ｓ１の断面形状は上記第１実施例及び第２実施例以外の構成として、例えば図７Ａの第３実施例又は図７Ｂの第４実施例に示すように、下層１５ｃ側の幅寸法Ｗ２を上層１５ａ側の幅寸法Ｗ１よりも大きくした構成（Ｗ１＜Ｗ２）であっても良い。下層１５ｃ側の幅寸法Ｗ２が上層１５ａ側の幅寸法Ｗ１がよりも大きい構成から成る開孔部Ｓ１では、溶融樹脂が開孔部Ｓ１内においてクサビ状に硬化して抜け止め機能を有するようになることから、プルリング１４を強く上方に引っ張って抜栓したとしても、除去板部１２とその下面に積層されているバリア性フィルム層１５との剥離をより効果的に防止することが可能となる。その結果、除去板部１２を除去する開封操作をより確実に行うことができる。
【００４３】
以上、実施例に沿って本発明の合成樹脂製蓋部材の実施の形態、及びその作用効果を説明したが、本発明は上記実施例に限定されるものではない。
【００４４】
例えば、本発明の蓋部材は上記説明したような注出キャップに限定されることなく、一般的なキャップ体、中栓体、蓋体等、容器の開口部を密に覆う蓋部材とすることができる。
【００４５】
またバリア性フィルム層については、上記実施例では酸素バリア性を考慮して中間層１５ｂにＥＶＯＨ（エチレン−ビニルアルコール共重合体）樹脂層を有する三層構造の積層フィルムを採用したが、その他炭酸ガスバリア性、水分バリア性、有効成分の逃散抑止性等の使用目的を考慮して適宜選択することができ、例えば、ナイロン樹脂、ポリカーボネイト樹脂、エチレン酢酸ビニール共重合（ＥＶＡ）樹脂、塩化ビニリデン樹脂、ポリエチレンテレフタレート樹脂、環状ポリオレフィン樹脂等の各種バリア性を有する合成樹脂からなるフィルムを使用することもできる。さらに、アルミラミネートフィルムも使用することもできる。
【００４６】
またバリア性フィルム層１５は三層構造のフィルムに限られるのものではなく、その他の多層構造のフィルム又は単層フィルムとすることもできる。
【００４７】
さらに上記実施例では、開孔部Ｓ１の形成位置について、バリア性フィルム層１５の破断線Ｌｂ上で且つ連結柱１３の基端部の外周縁側直近の位置として説明したが、抜栓時におけるバリア性フィルムの破断が容易に行えるきっかけになる程度の位置であれば、連結柱１３の基端部の外周縁側直近の位置に限定されるものではなく、その近傍の位置を含むものである。
【産業上の利用可能性】
【００４８】
本発明は、プルリングによる開封機構を備えた合成樹脂製蓋部材の分野における用途展開をさらに広い領域で図ることができる。
【符号の説明】
【００４９】
１  ；キャップ本体
２  ；組付き筒
２ｔ；頂板
３  ；インナーリング
４  ；注出筒
５  ；内鍔片
６  ；シール壁
６ａ；底壁
９  ；ヒンジ
１０  ；蓋体
１１ｔ；（上面側の）溝
１１ｕ；（下面側の）溝
１２  ；除去板部
１３  ；連結柱
１４  ；プルリング 
１５  ；バリア性フィルム層
１５ａ；上層
１５ｂ；中間層
１５ｃ；下層
Ｌｂ  ；破断線
Ｓ１  ；開孔部
Ｓ２  ；位置合わせ部
３１  ；容器
３２  ；口筒部
【図１】
2018171817.tif 000003
【図２】
2018171817.tif 000004
【図３】
2018171817.tif 000005
【図４】
2018171817.tif 000006
【図５】
2018171817.tif 000007
【図６】
2018171817.tif 000008
【図７】
2018171817.tif 000009